(57)【要約】【課題】この発明は、鳥類が、給餌器で青菜類を食べる際に、強く啄ばむ事によって起こる、容器からの青菜の脱落を防止する事を課題とする。【解決手段】図１並びに図２の円筒状の開口部８の縁の一端に、青菜類の押え具として、図１の２のＴ字型の突起物、並びに図２の３のＩ字型の突起物と、５の輪ゴムを設けた物である。【選択図】      図１
2004254675.tif 000002
【特許請求の範囲】
【請求項１】
円筒形の容器の一端に、鳥籠への取り付け手段として、金属金具を設ける一方、その円筒形容器の反対側の一端にＴ字型若しくはＩ字型の突起物を設け、その突起物に輪ゴムを取り付ける。その輪ゴムで、円筒形の容器に収容した青菜類と容器本体のＴ字型若しくはＩ字型の突起物を一緒に巻いて、固定する事を特徴とする。
【請求項２】
円筒形の容器の開口部を卵型の楕円形にする事により、この一つの容器で、多種多様な青菜類を、安定的且つ経済的な収容能力を高め得る事を特徴とする。
【請求項３】
取り付け手段としての金属金具は、鳥籠に設置する際、安定する形態とした。そして、この金属金具は、簡単に調整する事により、金網製の鳥籠だけでなく、竹製の鳥籠にも安定してセットできる様にした。この取り付け手段としての金属金具は、青菜類の給餌装置だけでなく、あらゆる給餌装置に対して効果を発揮し、形態上、針金状の円筒形に限定せず、平らな板状の金属金具においても効果を発揮する事を特徴とする。
【発明の詳細な説明】
【０００１】
【発明の属する技術分野】
本発明は、飼い鳥用給餌装置のうち、特に青菜類を鳥に与える時、容器に収容した青菜類を、鳥が引き千切る様に啄ばむ時の力によって、青菜類が容器から脱落する事を防止すると共に、簡単な操作で、常に新鮮な青菜類を必要な量だけ供給できるよう、経済的且つ効率的にした物である
【０００２】
【従来の技術】
図３は、従来の給餌装置を示す斜視図である。図３で示す様に、従来の青菜類の給餌装置は、円筒形の容器の一端に、鳥かごへの取り付け手段として、簡単な針金金具、図３の２２を設けた物であった。
【０００３】
【発明が解決しようとする課題】
従来の給餌装置図３では、円筒形の容器本体２１内に青菜類を入れるだけの物で、鳥が青菜類をついばむ時、青菜類を引き千切るように啄ばむ事から、青菜類が容器から脱落し易く、その為、経済面、衛生面の両面において、問題があった。
【０００４】
この青菜類の脱落を防止する為に、その円筒形の容器本体２１内が青菜類で一杯に埋まるまで差し込むか、若しくは、青菜類の茎等の代用物を青菜類と一緒に詰め込む等して、抜けないように補強する等の手間が掛かった。しかし、必要以上の量の青菜類を入れたり、余った青菜類の茎等で隙間を埋めて抜けないようにすると、青菜類及び補強用の茎が容器内の水を瞬く間に吸ってしまい、肝心の青菜類が見る間に萎れてしまった。特に夏場は、この弊害が顕著であった。
【０００５】
また、青菜類は、三つ葉の様な茎の細い物から、一般的な小松菜、そして茎の太いブロッコリーまで、種類によって様々な形態を成している。従来の給餌装置図３は、この青菜類の種類別に応じて、効果的に収容する為の手段が講じられてなかった。
【０００６】
また、従来の給餌装置図３は、鳥籠への取り付け手段が、図３の２２の様に針金を２本取り付けただけの簡単な物で、使用する際に、給餌装置と鳥籠の接する部分がうまく合わず、不安定であった。
【０００７】
本発明は、これらの不具合を解消する為の物で、まず、青菜類をしっかりと収容して、保持できる給餌装置の提供を目的とする。そして、常に衛生面からは、新鮮な青菜類を提供出来る様に、経済面からは、必要な量だけを提供出来る様にする事を目的とする。また、多種多様な青菜類をその種類ごとに安定収容出来る様にすると共に、鳥籠への取り付け手段としての金属金具も安定させる事により、その作業においては、簡単、迅速に行う事を可能とする事を目的とする。
【０００８】
【課題を解決するための手段】
上記課題を達成する為の発明手段は、青菜類を収容する円筒型の容器本体の一端に備えたＴ字型若しくはＩ字型の突起物と、その突起物に取り付けた輪ゴムにて、鳥が青菜類を引き千切る様に食べても、青菜類が容器から脱落しない様にした。また、容器の開口部を楕円形にすることで、収容する青菜類の種類の別無く、安定的経済的に収容する事を可能にした。また、取り付け手段の金属金具は鳥籠に設置する際、しっかりと安定する形態にした。
【０００９】
【実施例】
発明の実施例に入るに当たり、事前に確認しておきたい。それは、本発明における主旨である突起物は、青菜類を支える役割と青菜類を巻いた輪ゴムを止める役割を担う物を指しており、これらの条件を満たす突起物であれば、その形がＴ字型であろうとＩ字型であろうと問題としない。
【００１０】
本発明の実施例を、図面に基いて説明する。図１は本発明の給餌装置をＴ字型の突起物２で示した斜視図。図２は本発明の給餌装置をＩ字型の突起物３で示した斜視図。これより先の説明及び図面は、Ｔ字型の突起物に統一して述べる。青菜類を収容する円筒形の容器図１の開口部８の縁の一端に、鳥籠への取り付け手段として、６の金属金具を設ける一方、その円筒形容器の反対側の開口部の縁の一端に、２のＴ字型の突起物を備え付け、その突起物の中央４の所に２〜３ミリ程度の穴を開け、その穴に５の輪ゴムを通して結わえる。そして、図４の様に、この容器本体の開口部８に収容物の青菜類１０を入れ、その青菜類をＴ字型の突起物２と一緒に、その備え付けの輪ゴム５で、数回ぐるぐる巻きにし、程よい締まり具合、且つ、程良い固定状況にて、その巻いた輪ゴム５の先端を図６の５の様に、Ｔ字型２の突起物に引っかけて、収容物である青菜類１０を固定する。これにより、鳥が青菜類を啄ばむ時に引き千切る力によって、青菜類が容器から脱落する事が防止できる様になったと同時に、衛生面で改善した。加えて、これまでの様に脱落防止の為に、円筒形の容器内に青菜類がいっぱいになるまで差し込んだり、青菜に茎等を添えて抜けない様に補強する等といった面倒な事も無くなり、常に新鮮な青菜類を適切な量だけ提供できるようになり、経済的になった。
【００１１】円筒形の容器本体７にこれら収容物の青菜類を収容するに当たり、茎の細い三つ葉等から順に一般的な小松菜、そして茎の太いブロッコリーまで形態が様々で多種多様な青菜を、この一つの容器で効果的且つ効率的に収容できるようにした。通常、茎の細い三つ葉から標準的な太さで、且つ一般的に利用される小松菜あたりの形態の物は、図７の様に、その茎の束をＴ字型の突起物の側面に集約させておいて輪ゴムで固定すると、図８の様に、効果的で無駄も無く必要な量を、安定的に収容できた。また一方、ブロッコリー等、茎の太い青菜類も図９及び図１０の様に余裕を持って収容できる様にした。つまり、円筒形容器の開口部分の形は、図１１の様に、Ｔ字型突起物２の面に対して、卵の尖がった先の部分を接点とする卵型の楕円形とした。これにより、あらゆる葉菜類をより安定的且つ効率的に収容する事を可能にした。
【００１２】この葉菜類を収容した容器を鳥籠に取り付けるに当たり、取り付け手段としての金属金具を、基本的に図１２の６の形態にする事で、安定性を高めた。そして、その金属金具を図１２の５０の所を５２の様に調整し、図１２の５１の所を５３に調整する事により、金網籠及び竹籠の何れにも、即対応できるよう工夫をした。この金属金具の形態は、今回の青菜類入れだけで無く、取り付け手段として、金属金具を用いる全ての給餌装置において効果を発揮する事となった。また、取り付け手段としての金属金具は、針金状の円筒形に限らず、図１３の５５の様な、平らな板状の金属金具も安定感が有り使い易い事が判った。
【発明の効果】
本発明は，以上に説明したような構成により次のような効果を奏する。
請求項１及び請求項２及び請求項３に記載されている発明は，日々、鳥に青菜類を提供するに当たり、多くの効果を得る事が出来た。すなわち、まず、Ｔ字型若しくはＩ字型の突起物と輪ゴムの有効活用による簡単な構造により、しっかりと青菜を固定する事が出来た。これにより、従来の容器の様に青菜等が容器本体からすぐに脱落する事も無くなった。また、必要な量の青菜等が利用でき経済的になったのと、つねに新鮮な状態で食べさせられると言う衛生面での大きな効果が得られた。加えて、日々の作業においても簡素化され、且つ時間的効率化が図られた。因みに、突起物の形をＴ字型若しくはＩ字型にしたのは、輪ゴムを巻く際に、左右いずれ回りでも巻き易い事から採用した。また、容器の開口部を卵型の楕円形とした事により、多種多様の形態の青菜類をいずれもしっかりと安定させて、収容する事が可能となった。また、金属金具を今回の形態にした事により、金網製の鳥籠、竹制の鳥籠の何れに設置した場合でも、安定性を確保できた。そして、この金属金具は金属金具を用いた全ての給餌装置において、安定面においての効果を発揮する事が出来た。
【図面の簡単な説明】
【図１】本発明の給餌装置を示す斜視図で、Ｔ字型の突起物の図である。
【図２】本発明の給餌装置を示す斜視図で、Ｉ字型の突起物の図である。
【図３】従来の給餌装置を示す図である。
【図４】本発明の給餌装置の容器内に青菜類を差し入れた図である。
【図５】本発明の給餌装置の容器内に青菜類を差し入れ、Ｔ字型の突起物と青菜類を輪ゴムで一緒に巻いている図。
【図６】本発明の給餌装置に青菜類がセットされた図。
【図７】本発明の給餌装置の容器内に青菜類を入れた状態の側面図。
【図８】図７の平面図。
【図９】本発明の給餌装置の容器内にブロッコリーを入れた状態の側面図。
【図１０】図９の平面図。
【図１１】図８と図１０の平面図を合体させた図。
【図１２】本発明の給餌装置の取り付け金具の側面図。
【図１３】本発明の給餌装置の取り付け金具を平らな板状の金属金具にした図。
【符号の説明】
１    本発明の給餌装置
２    Ｔ字型の突起物
３    Ｉ字型の突起物
４    輪ゴムを通す２〜３ｍｍの穴
５    輪ゴム
６    取り付け金具
７    容器本体
８    開口部
１０  青菜類
１２  ブロッコリー
２０  従来の給餌装置
２１  従来の給餌装置の容器本体
２２  従来の給餌装置の取り付け金具
２３  従来の給餌装置の開口部
【図１】
2004254675.tif 000003
【図２】
2004254675.tif 000004
【図３】
2004254675.tif 000005
【図４】
2004254675.tif 000006
【図５】
2004254675.tif 000007
【図６】
2004254675.tif 000008
【図７】
2004254675.tif 000009
【図８】
2004254675.tif 000010
【図９】
2004254675.tif 000011
【図１０】
2004254675.tif 000012
【図１１】
2004254675.tif 000013
【図１２】
2004254675.tif 000014
【図１３】
2004254675.tif 000015